(57)【特許請求の範囲】
【請求項１】
磁気回路に結合されたフレームと、このフレームに結合されたダイアフラムと、このダイアフラムに結合されるとともに、その一部が前記磁気回路の磁気ギャップに配置されたボイスコイルと、前記フレームに結合されたターミナルからなるスピーカであって、前記ボイスコイルがマグネットワイヤーとこのマグネットワイヤーと略同等の形状および形態を有する非導電性の樹脂ワイヤーから構成され、前記ボイスコイルと前記ターミナルとの間のリード線が前記マグネットワイヤーと前記非導電性の樹脂ワイヤーの２種類以上の複数のワイヤーから構成され、前記マグネットワイヤーと前記非導電性の樹脂ワイヤーの２種類以上の複数のワイヤーが前記ターミナルに接続されて、屈曲疲労強度の向上と前記非導電性の樹脂ワイヤーの柔軟性による前記マグネットワイヤーの共振抑制効果により、断線防止してなるスピーカ。
【請求項２】
マグネットワイヤーと非導電性の樹脂ワイヤーからなる２種類以上の複数のワイヤーをボイスコイルとターミナルとの間で互いに絡めて撚り線にしてリード線を構成し屈曲疲労強度のさらなる向上と、１本のリード線の固有共振による自己振動を撚り線にすることで小さく抑制した請求項１記載のスピーカ。
【請求項３】
マグネットワイヤーと非導電性の樹脂ワイヤーからなる２種類以上の複数のワイヤーをボイスコイルとターミナルとの間で互いに平行にして接着剤で結合してリード線を構成し屈曲疲労強度のさらなる向上と、１本のリード線の固有共振による自己振動を接着剤で結合することで小さく抑制した請求項１記載のスピーカ。
【発明の詳細な説明】
【０００１】
【発明の属する技術分野】
本発明は各種音響機器および情報通信機器に使用されるスピーカに関するものである。
【０００２】
【従来の技術】
従来のスピーカは、図４、図５により説明する。
【０００３】
図４は従来のスピーカの断面図、図５は従来のボイスコイルの外観図を示したものであり、着磁されたマグネット１を上部プレート２およびヨーク３により挟み込んで構成された内磁型の磁気回路４のヨーク３にフレーム６を結合している。
【０００４】
このフレーム６にターミナル１０を結合し、このフレーム６の周縁部にダイアフラム７を接着し、このダイアフラム７に結合されたボイスコイル８を上記磁気回路４の磁気ギャップ５にはまり込むように結合し、ボイスコイル８のリード線１１をターミナル１０に半田付けしていた。
【０００５】
【発明が解決しようとする課題】
上述のスピーカは、小型化、高音圧化を目的としており、ボイスコイル８には振動系重量の軽量化とスペース縮小化のため金糸線を用いずに、ボイスコイル８のリード線１１を直接ターミナル１０に半田付けする構成としていた。
【０００６】
この構成は、ボイスコイル８のリード線１１の固有共振により自己振動が大きくなり、大きな入力を印加するとリード線１１が断線する可能性があった。従って、スピーカの高耐入力化を図ることができないという課題を有していた。
【０００７】
本発明は、上記課題を解決するもので、小型化、高音圧化を図りつつ、高耐入力化が実現できる優れたスピーカを提供するものである。
【０００８】
【課題を解決するための手段】
上記課題を解決するために、本発明は以下の構成を有する。
【０００９】
本発明の請求項１に記載の発明は、ボイスコイルをマグネットワイヤーとこのマグネットワイヤーと略同等の形状および形態を有する非導電性の樹脂ワイヤーから構成し、ボイスコイルとターミナルとの間のリード線をマグネットワイヤーと非導電性の樹脂ワイヤーの２種類のワイヤーから構成し、マグネットワイヤーと非導電性の樹脂ワイヤーの２種類以上の複数のワイヤーをターミナルに接続したものである。この構成とすることで、大きな入力を印加してボイスコイルが大きく上下振動しても、２種類のワイヤーから構成されたリード線による屈曲疲労強度の向上と非導電性の樹脂ワイヤーの柔軟性によるマグネットワイヤーの共振抑制効果により、断線防止が図れるという作用効果が得られる。
【００１０】
本発明の請求項２に記載の発明は、請求項１に加え２種類のワイヤーをボイスコイルとターミナルとの間で互いに絡めて撚り線にしてリード線を構成したものである。この構成とすることで、大きな入力を印加してボイスコイルが大きく上下振動しても、２種類のワイヤーの撚り線から構成されたリード線による屈曲疲労強度のさらなる向上と、１種類のリード線の固有共振による自己振動を撚り線にすることで小さく抑制できることにより、断線防止が図れるという作用効果が得られる。
【００１１】
本発明の請求項３に記載の発明は、請求項１に加え２種類のワイヤーをボイスコイルとターミナルとの間で互いに平行にして接着剤で結合してリード線を構成したものである。この構成とすることで、大きな入力を印加してボイスコイルが大きく上下振動しても、２本のワイヤーを接着剤で結合して構成されたリード線による屈曲疲労強度のさらなる向上と、１本のリード線の固有共振による自己振動を接着剤で結合することで小さく抑制できることにより、断線防止が図れるという作用効果が得られる。
【００１２】
【発明の実施の形態】
以下、本発明の実施の形態について図面を用いて説明する。なお、同様の内容については、その説明を簡略化して説明する。
【００１３】
（実施の形態１）
以下、実施の形態１を用いて、本発明の特に請求項１に記載の発明について説明する。
【００１４】
図１は、本発明の一実施形態のスピーカの断面図を示したもので、図２はそのボイスコイルの外観図を示したものである。
【００１５】
図１および図２によると、着磁されたマグネット２１を上部プレート２２およびヨーク２３により挟み込んで内磁型の磁気回路２４を構成している。この磁気回路２４のヨーク２３にフレーム２６を結合し、このフレーム２６にターミナル３０を結合し、このフレーム２６の周縁部にダイアフラム２７を接着し、このダイアフラム２７に結合されたボイスコイル２８を上記磁気回路２４の磁気ギャップ２５にはまり込むように結合構成している。
【００１６】
そして、ボイスコイル２８のリード線３１をターミナル３０に半田付けして構成していた。ここで、このボイスコイル２８は、図２に示すように、マグネットワイヤー２８ａとこのマグネットワイヤー２８ａと略同等の形状および形態を有する非導電性の樹脂ワイヤー２８ｂから構成し、ボイスコイル２８とターミナル３０との間のリード線３１もマグネットワイヤー２８ａと非導電性の樹脂ワイヤー２８ｂの２種類のワイヤーで構成し、このマグネットワイヤー２８ａと非導電性の樹脂ワイヤー２８ｂの２種類のワイヤーをターミナル３０に接続したものである。この構成とすることで、大きな入力を印加してボイスコイル２８が大きく上下振動しても、２種類のワイヤーから構成されたリード線３１による屈曲疲労強度の向上と非導電性の樹脂ワイヤー２８ｂの柔軟性によるマグネットワイヤー２８ａの共振抑制効果により、断線防止を図ることができる。
【００１７】
（実施の形態２）
以下、実施の形態２を用いて、本発明の特に請求項２に記載の発明について説明する。
【００１８】
図３は、本発明の一実施形態のボイスコイルの外観図を示したものである。
【００１９】
実施の形態１と異なる点は、マグネットワイヤー２８ａと非導電性の樹脂ワイヤー２８ｂをボイスコイル２８とターミナル３０との間で互いに絡めて撚り線にしてリード線３１を構成したことである。この構成とすることで、大きな入力を印加してボイスコイル２８が大きく上下振動しても、２種類のワイヤーの撚り線から構成されたリード線３１による屈曲疲労強度のさらなる向上と、１本のリード線の固有共振による自己振動を撚り線にすることで小さく抑制できることにより、断線防止を図ることができる。
【００２０】
（実施の形態３）
以下、実施の形態３を用いて、本発明の特に請求項３に記載の発明について説明する。
【００２１】
実施の形態１と異なる点は、図２の２種類のワイヤーをボイスコイル２８とターミナル３０との間で互いに平行にして接着剤で結合してリード線３１を構成したものである。この構成とすることで、大きな入力を印加してボイスコイル２８が大きく上下振動しても、２種類のワイヤーを接着剤で結合して構成されたリード線３１による屈曲疲労強度のさらなる向上と、１本のリード線の固有共振による自己振動を接着剤で結合することで小さく抑制できることにより、断線防止を図ることができる。
【００２２】
さらに、ボイスコイル２８の巻線時の作業効率向上、リード線３１のフォーミング効率の向上等、スピーカの生産性を大幅に向上することができる。
【００２３】
【発明の効果】
以上のように、本発明のスピーカは、ボイスコイルをマグネットワイヤーとこのマグネットワイヤーと略同等の形状および形態を有する非導電性の樹脂ワイヤーから構成し、ボイスコイルとターミナルとの間のリード線がマグネットワイヤーと樹脂ワイヤーの２種類のワイヤーから構成し、マグネットワイヤーと非導電性の樹脂ワイヤーの２種類以上の複数のワイヤーをターミナルに接続したものである。この構成とすることで、大きな入力を印加してボイスコイルが大きく上下振動しても、２種類のワイヤーから構成されたリード線による屈曲疲労強度の向上と非導電性の樹脂ワイヤーの柔軟性によるマグネットワイヤーの共振抑制効果により、断線防止を図ることができる。従って、スピーカの耐入力を向上することができる。
【００２４】
このように本発明は、小型化、高音圧化を図りつつ、高耐入力化が実現できる優れたスピーカを提供することができ、その工業的価値は非常に大なるものである。
【図面の簡単な説明】
【図１】  本発明の一実施の形態におけるスピーカの断面図
【図２】  本発明の一実施の形態におけるボイスコイルの斜視図
【図３】  本発明の別の実施の形態におけるボイスコイルの斜視図
【図４】  従来のスピーカの断面図
【図５】  従来のボイスコイルの斜視図
【符号の説明】
２１  マグネット
２２  上部プレート
２３  ヨーク
２４  磁気回路
２５  磁気ギャップ
２６  フレーム
２７  ダイアフラム
２８  ボイスコイル
２８ａ  マグネットワイヤー
２８ｂ  非導電性の樹脂ワイヤー
３０  ターミナル
３１  リード線
【図１】
0004122756.tif 000002
【図２】
0004122756.tif 000003
【図３】
0004122756.tif 000004
【図４】
0004122756.tif 000005
【図５】
0004122756.tif 000006